(57)【要約】【課題】    従来、冷暖房機の効果は、温熱や冷風が部屋の隅々から天井へと人が通らないところまで行くので、暖まったり涼んだりするのに、時間がかかったり、期待する効果が十分なかったり、その割には、無駄にエネルギーだけを浪費していた。地球温暖化の早急な対策が必要なとき、必要ないところは冷暖房せずエネルギーを節約しながら冷暖房効果の高くなるものが待たれていた。【解決手段】  プラスチック板、プラスチックダンボール、普通のダンボール、木材等の所定の形状の平面体（１）の上（２）を内側に曲げる横の折れ目部（３）と折りたたんだり内側に囲ったりする縦の折り目部（４）を付け、内側に囲う部分の角の上（５）は斜めカットにして、付けたり外したりのマジックテープや磁石と鉄などの着脱装具の片方（６）ともう一方（７）を、（３）や（４）や（５）付近の所定の箇所につけ着脱装具の片方（６）ともう一方（７）を少しずつずらしながら好みの冷暖房効果アップ装置にする。【選択図】図１
2007212117.tif 000002
【特許請求の範囲】
【請求項１】
所定の形状の平面体の、所定の場所に上部を内側に曲げる横の折れ目部と内側や外側に曲げる縦の折れ目部と所定の場所に上の角度調節自在の着脱装具を付けて冷暖房機の出す温熱や冷房を効率よく集め囲う簡単操作の自由自在角度調節型折りたたみ式冷暖房効果アップ装置。
【請求項２】
所定の形状の透明ガラスや透明プラスチック板や透明ビニール材の所定の淵に、天井や壁に固定する金具を付ける穴や簡単取り外し型金具を用いて天井や部屋の隅を仕切るようにつけることによって冷暖房の出す冷風や温風の流れを澱みなくスムーズ循環させ早い冷暖房効果を生み、更に仕切った部分は確実にエネルギー節約になりながら透明の仕切りのために圧迫感が全くない透明型冷暖房アップ装置。
【請求項３】
請求項２の透明型冷暖房効果アップ装置の所定の箇所に窓や戸を付けた透明型冷暖房効果アップ装置。
【発明の詳細な説明】
【技術分野】
【０００１】  （注）段落番号の横には何も記載しないで下さい。
この発明は、冷暖房の満足のいく効果を素早く発揮し、その上エネルギーの確実な節約を可能にし、取り扱いも利用しやすく工夫のある冷暖房効果アップ装置に関する。
従来の技術【０００２】  従来の冷暖房機は強い冷房や暖房をしてもその効果が人の通らない部屋の隅々まで行くため物凄く無駄にエネルギーを消費しながら、その分効果も時間がかかる割にはあまり期待できないという問題があった。
【発明の開示】
【発明が解決しようとする課題】
【０００３】  この発明の目的は、このような従来の技術的な欠点を解決することにあり、冷暖房機の効力が隅に行く前に遮り必要な場所に効率よく集中させることによって高い効果を得ることが出来、更に確実にエネルギーの節約が可能な冷暖房効果アップ装置を提供することにある。
【課題を解決するための手段】
【０００４】  この発明の目的を達成するのに、所定の形状の平面体に縦や横の折り目部をつけ、角度を自由に調節できるようマジックテープや磁石や着脱用金具などの着脱装具を付けることによって冷暖房の出す温熱や冷風を内側に集め囲うことの出来る簡単操作で自由自在に角度調節出来る折りたたみ式冷暖房効果アップ装置と、無駄に天井や部屋の隅に行かないようガラスやプラスチック材やビニールなどの所定の形状の無色透明材でしきることによってエネルギーの浪費をなくしながらも、透明のため狭い感じもなく広々とした空間を演出できる透明型冷暖房効果アップ装置。透明タイプは風呂にも応用できる。
【発明の効果】
【０００４】  この発明によって、冷暖房の効果を人のいる場所に集中させることが複雑な装置でなく簡単に取り扱いが出来るよう工夫のある装置によって高い確実な効果を出し、夏は２８Ｌ、冬は２０Ｌの設定温度に早く達成し、エネルギーを節約しながら以前より心地よく涼しさや暖かさを感じることが出来る。
【発明を実施するための最良の形態】
【０００５】  プラスチック板、プラスチックダンボール、普通のダンボール、木材等あるいはプラスチックや厚紙、ダンボール、木材などの芯を付けたり入れたりした布地やレザーやシートカバー類ビニール類やじゅうたん等に上は横に折り目を入れて内側に曲がるようにし、縦は外側や内側に曲がるようにすることによって囲いのようにして、しかもマジックテープや磁石などの着脱可能装具を付けることによって好みの形に固定でき内側に冷房機や暖房機の冷暖房を集中できる。又、天井や部屋の隅は透明のガラスやプラスチック材やビニール類等の透明材を使用場所にあわせて所定の形状にした端には固定するための金具や取り外し簡単な金具を使用することによって、簡単な取り付けを可能にした。
【実施例】
【０００６】
【図１】
請求項１の角度調節型折りたたみ式冷暖房効果アップ装置で、プラスチック板、プラスチックダンボール、普通のダンボール、木材等の所定の形状の平面体（１）の上（２）を内側に曲げる横の折れ目部（３）と折りたたんだり内側に囲ったりする縦の折り目部（４）を付け、内側に囲う部分の角の上（５）は斜めカットにして、付けたり外したりのマジックテープや磁石と鉄などの着脱装具の片方（６）ともう一方（７）を、（３）や（４）や（５）付近の所定の箇所につけ着脱装具の片方（６）ともう一方（７）を少しずつずらしながら好みの冷暖房効果アップ装置にする。折たたむ部分は一箇所以上何箇所でも出来る。この図１は３箇所折りたたむタイプである。
【図２】
プラスチック板、プラスチックダンボール、普通のダンボール、木材や厚紙等の所定の形状の芯（８）を布地（９）やレザーやじゅうたん類で包んだり付けたりした場合である。１枚の所定の形状の平面体（１）の型の芯（８）を作って包んだり付けたりしても良いし、横の折り目部（３）や縦の折り目部（４）ごとに好みで芯（８）を糸や接着剤やチャックやマジックテープなどで包んだりつけたりする。
角度調節タイプの折たたみ式冷暖房効果アップ装置は、冷房機や暖房機から少し離して対面で立てる。上を内側に曲げ縦の折り目部も内側に曲げ、所定の箇所につけた着脱可能装具で角度を調整すると、内側の温度も調節出来る。
【図３】
必要に応じてワンタッチで取り外しが出来るよう磁石と鉄やマジックテープなどの着脱装具の片方（６）を本体の平面体（１）につけ、もう一方（７）をストッパー（１０）に付け使用する。
【図４】
請求項２の透明型冷暖房効果アップ装置で、ガラスや透明プラスチック板や透明ビニール類を天井の形や装備や壁の状況や家財などの位置関係で所定の形状の透明板（１１）にしたもの端の所定の場所に壁や天井に固定する所定の形状の金具（１２）を付けたり通したりする穴（１３）を付ける。透明板を数枚つなげるときは、所定の形状のつなぎ部（１４）を使いしっかり固定する。
【図５】
［図４］の透明型冷暖房効果アップ装置に窓（１５）や戸（１６）を付けて物の出し入れ口や人の出入り口に出来るがこの図の場合は蝶番（１７）を取り付けた窓や戸である。
又、透明タイプの冷暖房効果アップ装置は天井や空気の流れが溜まる天井と壁の角の隅や人の通らない部屋の隅の必要のない所まで冷暖房効果が行かないよう天井・壁・家具・防災設備などの諸設備状況などに応じて所定の形状の透明材を所定の形状の金具等で壁や天井や床に固定したり、繋げて仕切る。更に、所定の形状の透明材に窓や戸をつけると、そこから家具の引き出しを開けたり戸を開いたり、テレビ・ビデオや家電などの操作ができる。
【産業上の利用可能性】
【０００７】低コストで実用化出来る発明なので、大掛かりで複雑にしないよう工夫しているので、産業上の利用可能性は非常に高い、暑さ寒さは根本的に切実問題であるので、高い効果がすぐ出る結果に、地球温暖化対策が、緊急課題となっている今、市場のニーズも広まっていく。
【図面の簡単な説明】
【０００８】
【図１】      請求項１の角度調節型折りたたみ式冷暖房効果アップ装置の平面図（イ）と立体図（ロ）である。
【図２】      請求項１の角度調節型折りたたみ式冷暖房効果アップ装置の芯を布地やジュータンやビニール類で囲ったり付けたりした部分図である。
【図３】      簡単に取り外しできるストッパーの立体図である。
【図４】      請求項２の透明型冷暖房効果アップ装置の使用図である。
【図５】      窓や戸を付けた透明型冷暖房効果アップ装置の部分図である。
【符号の説明】
（１）平面体、（２）上、（３）横の折れ目部、（４）縦の折れ目部、（５）内側に囲う部分の角の上、（６）マジックテープや磁石などの着脱装置の片方、（７）マジックテープや磁石などの着脱装置のもう一方、（８）芯、（９）布地、（１０）ストッパー、（１１）透明版、（１２）金具、［１３］穴、（１４）つなぎ部、（１５）窓、（１６）戸、（１７）蝶番、（１８）縁つき穴、（１９）安全処置縁
【図１】
2007212117.tif 000003
【図２】
2007212117.tif 000004
【図３】
2007212117.tif 000005
【図４】
2007212117.tif 000006
【図５】
2007212117.tif 000007